(57)【要約】【課題】受信を目的としない信号を高い抑圧比で抑圧することのできる受信機を提供する。【解決手段】第１の信号に含まれる第２の送信信号成分のレベルが、第２の信号に含まれる第２の送信信号のレベルと一致するように第１の信号及び第２の信号のそれぞれを増幅する。そして、増幅した第２の信号のレベルを移相部１０５によって反転させた後、増幅された第１の信号とレベルを反転させられた第２の信号とを混合部１０６で混合することによって、増幅された第１の信号に含まれる第２の送信信号成分を除去する。【選択図】図２
2008288988.tif 000002
【特許請求の範囲】
【請求項１】
第１の周波数の第１の送信信号または当該第１の周波数と近接する第２の周波数の第２の送信信号を受信する受信機であって、
入力された信号から前記第１の周波数を含む狭帯域の周波数の信号を第１の信号として通過させる第１のフィルタと、
入力された信号から前記第２の周波数を含む狭帯域の周波数の信号を第２の信号として通過させる第２のフィルタと、
前記第１の信号及び前記第２の信号の少なくとも一方のレベルを調整して、前記第１の信号に含まれる前記第２の送信信号成分のレベルと前記第２の信号に含まれる前記第２の送信信号のレベルとを一致させる、または、前記第１の信号に含まれる前記第１の送信信号のレベルと前記第２の信号に含まれる前記第１の送信信号成分のレベルとを一致させるレベル調整部と、
前記レベル一致後の前記第１の信号及び前記第２の信号のいずれか一方の位相を調整して、レベルを反転させる移相部と、
前記移相部によって位相が調整された前記第１の信号及び前記第２の信号のいずれか一方の信号と、前記移相部によって位相が調整されなかったいずれか他方の信号とを混合する混合部とを備える、受信機。
【請求項２】
前記混合部は、混合した信号をヘテロダイン検波回路に出力し、
前記第２の送信信号は、前記ヘテロダイン検波回路において、前記第１の送信信号に対するイメージ信号である、請求項１に記載の受信機。
【請求項３】
前記レベル調整部は、前記第１の信号のレベルを第１の増幅率で増幅して、当該第１の信号に含まれる前記第２の送信信号成分のレベルを前記第２の信号に含まれる前記第２の送信信号のレベルに一致させる第１の増幅部を含み、
前記移相部は、前記第２の信号のレベルを反転させる、請求項２に記載の受信機。
【請求項４】
前記レベル調整部は、前記第２の信号のレベルを前記第１の増幅率よりも低い第２の増幅率で増幅する第２の増幅部を、さらに含み、
前記レベル調整部は、前記第１の増幅部および前記第２の増幅部それぞれの前記第１の増幅率および前記第２の増幅率を設定することによって、前記第１の信号に含まれる前記第２の送信信号成分のレベルと前記第２の信号に含まれる前記第２の送信信号のレベルとを一致させ、
前記移相部は、前記第２の増幅部によって増幅された前記第２の信号のレベルを反転させる、請求項３に記載の受信機。
【請求項５】
前記レベル調整部は、前記第２の信号のレベルを第１の減衰率で減衰して、当該第２の信号に含まれる前記第２の送信信号のレベルを前記第１の信号に含まれる前記第２の送信信号成分のレベルに一致させる減衰部を含み、
前記移相部は、前記減衰部によって減衰された前記第２の信号のレベルを反転させる、請求項２に記載の受信機。
【請求項６】
前記レベル調整部は、
前記第１の信号のレベルを第１の増幅率で増幅する第１の増幅部と、
前記第２の信号のレベルを前記第１の増幅率と等しい第２の増幅率で増幅する第２の増幅部とをさらに含み、
前記レベル調整部は、前記第１の増幅部、前記第２の増幅部及び前記減衰部それぞれの前記第１の増幅率、前記第２の増幅率及び前記減衰率を設定することによって、前記第１の信号に含まれる前記第２の送信信号成分のレベルと前記第２の信号に含まれる前記第２の送信信号のレベルとを一致させる、請求項５に記載の受信機。
【請求項７】
前記混合部は、混合した信号をヘテロダイン検波回路に出力し、
前記レベル調整部は、
前記第１の信号を第１の増幅率で増幅する第１の増幅部と、
前記第２の信号を第２の増幅率で増幅する第２の増幅部と、
前記第１の増幅率と前記第２の増幅率とを調整する制御部とを含み、
前記制御部は、受信を目的とする希望信号を前記第１の送信信号とし、前記ヘテロダイン検波回路における前記第１の送信信号に対するイメージ信号を前記第２の送信信号とするとき、前記第１の増幅率と前記第２の増幅率とを調整して、前記第１の信号に含まれる前記第２の送信信号成分のレベルと前記第２の信号に含まれる前記第２の送信信号のレベルとを一致させ、
前記制御部は、前記希望信号を前記第２の送信信号とし、前記ヘテロダイン検波回路における前記第２の送信信号に対するイメージ信号を前記第１の送信信号とするとき、前記第１の増幅率と前記第２の増幅率とを調整して、前記第２の信号に含まれる前記第１の送信信号成分のレベルと前記第１の信号に含まれる前記第１の送信信号のレベルとを一致させる、請求項１に記載の受信機。
【請求項８】
前記制御部は、前記第１の送信信号を前記希望信号としたときに調整する前記第１の増幅率及び前記第２の増幅率の値の組と、前記第２の送信信号を前記希望信号としたときに調整する前記第１の増幅率及び前記第２の増幅率の値の組とが、予め固定的に設定される、請求項７に記載の受信機。
【請求項９】
前記混合部は、混合した信号をヘテロダイン検波回路に出力し、
前記レベル調整部は、
前記第１の信号を第１の減衰率で減衰する第１の減衰部と、
前記第１の信号を第２の減衰率で減衰する第２の減衰部と、
前記第１の減衰率と前記第２の減衰率とを制御する制御部とを含み、
前記制御部は、受信を目的とする希望信号を前記第１の送信信号とし、前記ヘテロダイン検波回路における前記第１の送信信号に対するイメージ信号を前記第２の送信信号とするとき、前記第１の減衰率と前記第２の減衰率とを調整して、前記第１の信号に含まれる前記第２の送信信号成分のレベルと前記第２の信号に含まれる前記第２の送信信号のレベルとを一致させ、
前記制御部は、前記希望信号を前記第２の送信信号とし、前記ヘテロダイン検波回路における前記第２の送信信号に対するイメージ信号を前記第１の送信信号とするとき、前記第１の減衰率と前記第２の減衰率とを調整して、前記第２の信号に含まれる前記第１の送信信号成分のレベルと前記第１の信号に含まれる前記第１の送信信号のレベルとを一致させる、請求項１に記載の受信機。
【請求項１０】
前記制御部は、前記第１の送信信号を前記希望信号としたときに調整する前記第１の減衰率及び前記第２の減衰率の値の組と、前記第２の送信信号を前記希望信号としたときに調整する前記第１の減衰率及び前記第２の減衰率の値の組とが、予め固定的に設定される、請求項９に記載の受信機。
【請求項１１】
前記制御部は、前記移相部の位相の調整量をさらに調整し、
前記制御部は、前記希望信号を前記第１の送信信号とし、前記ヘテロダイン検波回路における前記第１の送信信号に対するイメージ信号を前記第２の送信信号とするときにおいて、前記混合部から出力される信号に前記第２の送信信号成分が残存しているとき、当該第２の送信信号成分のレベルに応じて、前記第１の増幅率、前記第２の増幅率及び前記移相部の位相の調整量の少なくともいずれか１つを調整し、  前記制御部は、前記希望信号を前記第２の送信信号とし、前記ヘテロダイン検波回路における前記第２の送信信号に対するイメージ信号を前記第１の送信信号とするときにおいて、前記混合部から出力される信号に前記第１の送信信号成分が残存しているとき、当該第１の送信信号成分のレベルに応じて、前記第１の増幅率、前記第２の増幅率及び前記移相部の位相の調整量の少なくともいずれか１つを調整する、請求項７に記載の受信機。
【請求項１２】
前記制御部は、前記移相部の位相の調整量をさらに調整し、
前記制御部は、前記希望信号を前記第１の送信信号とし、前記ヘテロダイン検波回路における前記第１の送信信号に対するイメージ信号を前記第２の送信信号とするときにおいて、前記混合部から出力される信号に前記第２の送信信号成分が残存しているとき、当該第２の送信信号成分のレベルに応じて、前記第１の減衰率、前記第２の減衰率及び前記移相部の位相の調整量の少なくともいずれか１つを調整し、
前記制御部は、前記希望信号を前記第２の送信信号とし、前記ヘテロダイン検波回路における前記第２の送信信号に対するイメージ信号を前記第１の送信信号とするときにおいて、前記混合部から出力される信号に前記第１の送信信号成分が残存しているとき、当該第１の送信信号成分のレベルに応じて、前記第１の減衰率、前記第２の減衰率及び前記移相部の位相の調整量の少なくともいずれか１つを調整する、請求項９に記載の受信機。
【発明の詳細な説明】
【技術分野】
【０００１】
本発明は、受信機に関し、より特定的には、無線信号を受信するスーパーヘテロダイン方式の受信機に関する。
【背景技術】
【０００２】
従来から、あらゆる通信分野において、良好な無線通信機の特性を得るためにスーパーヘテロダイン方式を採用した無線通信機が広く利用されている。そして、スーパーヘテロダイン方式を採用した無線通信機において、さらに特性を改善するための様々な方法が、従来から考案されてきた。図２４は、無線通信機の雑音特性を改善するために考案された特許文献１に記載のチューナ９０の構成を示すブロック図である。
【０００３】
図２４に示すチューナ９０は、ＬＰＦ（Low Path Filter：ローパスフィルタ）９０１と、ＨＰＦ（High Path Filter：ハイパスフィルタ）９０２と、スイッチ９０３と、ＵＨＦ信号処理部９０４と、ＶＨＦハイ信号処理部９０５と、ＶＨＦロー信号処理部９０６と、ミキサ９０７、９０９及び９１１と、局部発振部９０８、９１０及び９１２と、ＢＰＦ（Band Path Filter：バンドパスフィルタ）９１３と、アンプ９１４とを備える。
【０００４】
ＬＰＦ９０１には、無線信号が入力され、入力された無線信号の内、必要な低周波数域の無線信号のみを通過させる。ＨＰＦ９０２は、ＬＰＦ９０１を通過した無線信号の内、必要な高周波域の無線信号のみを通過させる。
【０００５】
スイッチ９０３は、ＨＰＦ９０２を通過した無線信号の周波数帯域、すなわち、ＵＨＦ帯域、ＶＨＦハイ帯域及びＶＨＦロー帯域のいずれかに応じて、後段に備えられているＵＨＦ信号処理部９０４、ＶＨＦハイ信号処理部９０５及びＶＨＦロー信号処理部９０６の内、対応する信号処理部へＨＰＦ９０２を通過した無線信号が出力されるように、伝送路を切り換える。
【０００６】
ＵＨＦ信号処理部９０４、ＶＨＦハイ信号処理部９０５及びＶＨＦロー信号処理部９０６は、それぞれ可変トラッキングフィルタやＲＦアンプなどから構成されており、入力される無線信号に所定の処理をする。
【０００７】
ミキサ９０７、９０９及び９１１のそれぞれは、局部発振部９０８、９１０及び９１２が発振する局部発振信号と、ＵＨＦ信号処理部９０４、ＶＨＦハイ信号処理部９０５及びＶＨＦロー信号処理部９０６によって処理された信号とをそれぞれ混合して、それぞれの処理部によって処理された無線信号の周波数を中間周波数に変換する。
【０００８】
ＢＰＦ９１３は、ミキサ９０７、９０９及び９１１によって中間周波数に変換された無線信号の内、所定の周波数帯域の無線信号のみを通過させる。アンプ９１４は、ＢＰＦ９１３を通過した信号を増幅する。
【０００９】
ここで、チューナ９０は、局部発振部９０８に不平衡型発振回路を採用して、局部発振部９０８の内部構成を簡略化し、雑音特性を悪化させる構成を減少させることで、ＵＨＦ帯域のみの雑音特性を改善している。
【特許文献１】特開平１１−２８４５３７号公報
【発明の開示】
【発明が解決しようとする課題】
【００１０】
しかしながら、上記従来技術では、以下のような問題点がある。すなわち、スーパーヘテロダイン方式を採用した受信機のアンテナから入力される無線信号には、必要な周波数の信号と必要な周波数の信号に対する不要な周波数の信号とが、原理的に含まれる。スーパーヘテロダイン方式を採用した受信機において、この不要な信号の周波数は、一般的に、イメージ周波数と呼ばれる。ここで、必要な信号の周波数とイメージ周波数とが十分に離れていれば、上記従来技術の通りにフィルタを配置することで、入力される無線信号に含まれるイメージ周波数の信号を抑圧して必要な信号のみを取り出すことができる。しかし、フィルタの減衰傾度や選択度を理想の値に近づけるには限界がある。このため、必要な信号の周波数とイメージ周波数とが近い場合に、上記従来技術では、受信した無線信号に含まれるイメージ周波数の信号を十分に抑圧して、必要な信号のみを取り出すことが困難である。つまり、上記従来技術では、必要な信号の周波数とイメージ周波数とが近い場合に、高いイメージ周波数の信号の抑圧比を得ることができない。
【００１１】
それ故に、本発明は、受信を目的とする必要な信号の周波数と、受信を目的としない不要な信号の周波数とが近い場合にも、受信を目的としない不要な信号を高い抑圧比で抑圧することができる受信機を提供することを目的とする。
【課題を解決するための手段】
【００１２】
上記課題を解決するために、本発明は、以下に示す特徴を有する。
【００１３】
第１の発明は、第１の周波数の第１の送信信号または当該第１の周波数と近接する第２の周波数の第２の送信信号を受信する受信機であって、入力された信号から第１の周波数を含む狭帯域の周波数の信号を第１の信号として通過させる第１のフィルタと、入力された信号から第２の周波数を含む狭帯域の周波数の信号を第２の信号として通過させる第２のフィルタと、第１の信号及び第２の信号の少なくとも一方のレベルを調整して、第１の信号に含まれる第２の送信信号成分のレベルと第２の信号に含まれる第２の送信信号のレベルとを一致させる、または、第１の信号に含まれる第１の送信信号のレベルと第２の信号に含まれる第１の送信信号成分のレベルとを一致させるレベル調整部と、レベル一致後の第１の信号及び第２の信号のいずれか一方の位相を調整して、レベルを反転させる移相部と、移相部によって位相が調整された第１の信号及び第２の信号のいずれか一方の信号と、移相部によって位相が調整されなかったいずれか他方の信号とを混合する混合部とを備える。
【００１４】
第２の発明は、第１の発明において、混合部は、混合した信号をヘテロダイン検波回路に出力し、第２の送信信号は、ヘテロダイン検波回路において、第１の送信信号に対するイメージ信号である。
【００１５】
第３の発明は、第２の発明において、レベル調整部は、第１の信号のレベルを第１の増幅率で増幅して、当該第１の信号に含まれる第２の送信信号成分のレベルを第２の信号に含まれる第２の送信信号のレベルに一致させる第１の増幅部を含み、移相部は、第２の信号のレベルを反転させる。
【００１６】
第４の発明は、第３の発明において、レベル調整部は、第２の信号のレベルを第１の増幅率よりも低い第２の増幅率で増幅する第２の増幅部を、さらに含み、レベル調整部は、第１の増幅部および第２の増幅部それぞれの第１の増幅率および第２の増幅率を設定することによって、第１の信号に含まれる第２の送信信号成分のレベルと第２の信号に含まれる第２の送信信号のレベルとを一致させ、移相部は、第２の増幅部によって増幅された第２の信号のレベルを反転させる。
【００１７】
第５の発明は、第２の発明において、レベル調整部は、第２の信号のレベルを第１の減衰率で減衰して、当該第２の信号に含まれる第２の送信信号のレベルを第１の信号に含まれる第２の送信信号成分のレベルに一致させる減衰部を含み、移相部は、減衰部によって減衰された第２の信号のレベルを反転させる。
【００１８】
第６の発明は、第５の発明において、レベル調整部は、第１の信号のレベルを第１の増幅率で増幅する第１の増幅部と、第２の信号のレベルを第１の増幅率と等しい第２の増幅率で増幅する第２の増幅部とをさらに含み、レベル調整部は、第１の増幅部、第２の増幅部及び減衰部それぞれの第１の増幅率、第２の増幅率及び減衰率を設定することによって、第１の信号に含まれる第２の送信信号成分のレベルと第２の信号に含まれる第２の送信信号のレベルとを一致させる。
【００１９】
第７の発明は、第１の発明において、混合部は、混合した信号をヘテロダイン検波回路に出力し、レベル調整部は、第１の信号を第１の増幅率で増幅する第１の増幅部と、第２の信号を第２の増幅率で増幅する第２の増幅部と、第１の増幅率と第２の増幅率とを調整する制御部とを含み、制御部は、受信を目的とする希望信号を第１の送信信号とし、ヘテロダイン検波回路における第１の送信信号に対するイメージ信号を第２の送信信号とするとき、第１の増幅率と第２の増幅率とを調整して、第１の信号に含まれる第２の送信信号成分のレベルと第２の信号に含まれる第２の送信信号のレベルとを一致させ、制御部は、希望信号を第２の送信信号とし、ヘテロダイン検波回路における第２の送信信号に対するイメージ信号を第１の送信信号とするとき、第１の増幅率と第２の増幅率とを調整して、第２の信号に含まれる第１の送信信号成分のレベルと第１の信号に含まれる第１の送信信号のレベルとを一致させる。
【００２０】
第８の発明は、第７の発明において、制御部は、第１の送信信号を希望信号としたときに調整する第１の増幅率及び第２の増幅率の値の組と、第２の送信信号を希望信号としたときに調整する第１の増幅率及び第２の増幅率の値の組とが、予め固定的に設定される。
【００２１】
第９の発明は、第１の発明において、混合部は、混合した信号をヘテロダイン検波回路に出力し、レベル調整部は、第１の信号を第１の減衰率で減衰する第１の減衰部と、第１の信号を第２の減衰率で減衰する第２の減衰部と、第１の減衰率と第２の減衰率とを調整する制御部とを含み、制御部は、受信を目的とする希望信号を第１の送信信号とし、ヘテロダイン検波回路における第１の送信信号に対するイメージ信号を第２の送信信号とするとき、第１の減衰率と第２の減衰率とを調整して、第１の信号に含まれる第２の送信信号成分のレベルと第２の信号に含まれる第２の送信信号のレベルとを一致させ、制御部は、希望信号を第２の送信信号とし、ヘテロダイン検波回路における第２の送信信号に対するイメージ信号を第１の送信信号とするとき、第１の減衰率と第２の減衰率とを調整して、第２の信号に含まれる第１の送信信号成分のレベルと第１の信号に含まれる第１の送信信号のレベルとを一致させる。
【００２２】
第１０の発明は、第９の発明において、制御部は、第１の送信信号を希望信号としたときに調整する第１の減衰率及び第２の減衰率の値の組と、第２の送信信号を希望信号としたときに調整する第１の減衰率及び第２の減衰率の値の組とが、予め固定的に設定される。
【００２３】
第１１の発明は、第７の発明において、制御部は、移相部の位相の調整量をさらに調整し、制御部は、希望信号を第１の送信信号とし、ヘテロダイン検波回路における第１の送信信号に対するイメージ信号を第２の送信信号とするときにおいて、混合部から出力される信号に第２の送信信号成分が残存しているとき、当該第２の送信信号成分のレベルに応じて、第１の増幅率、第２の増幅率及び移相部の位相の調整量の少なくともいずれか１つを調整し、制御部は、希望信号を第２の送信信号とし、ヘテロダイン検波回路における第２の送信信号に対するイメージ信号を第１の送信信号とするときにおいて、混合部から出力される信号に第１の送信信号成分が残存しているとき、当該第１の送信信号成分のレベルに応じて、第１の増幅率、第２の増幅率及び移相部の位相の調整量の少なくともいずれか１つを調整する。
【００２４】
第１２の発明は、第９の発明において、移相部の位相の調整量をさらに調整し、制御部は、希望信号を第１の送信信号とし、ヘテロダイン検波回路における第１の送信信号に対するイメージ信号を第２の送信信号とするときにおいて、混合部から出力される信号に第２の送信信号成分が残存しているとき、当該第２の送信信号成分のレベルに応じて、第１の減衰率、第２の減衰率及び移相部の位相の調整量の少なくともいずれか１つを調整し、制御部は、希望信号を第２の送信信号とし、ヘテロダイン検波回路における第２の送信信号に対するイメージ信号を第１の送信信号とするときにおいて、混合部から出力される信号に第１の送信信号成分が残存しているとき、当該第１の送信信号成分のレベルに応じて、第１の減衰率、第２の減衰率及び移相部の位相の調整量の少なくともいずれか１つを調整する。
【発明の効果】
【００２５】
第１の発明によれば、必要な信号の周波数と不要な信号の周波数とが近い場合にも、不要な信号を高い抑圧比で抑圧することができる。
【００２６】
第２の発明によれば、イメージ信号が問題となるヘテロダイン検波回路において、必要な信号の周波数と、必要な信号に対するイメージ信号の周波数とが、近接するときに、高いイメージ信号の抑圧比を得ることができる。
【００２７】
第３の発明によれば、採用が困難な特別な構成を用いることなく、採用が容易な増幅部を使用して、高いイメージ信号の抑圧比を得ることができる。
【００２８】
第４の発明によれば、２つの増幅部を用いることにより、第１の信号に含まれる第２の送信信号成分のレベルと第２の信号に含まれる第２の送信信号のレベルとを一致させることが容易になる。
【００２９】
第５の発明によれば、採用が困難な特別な構成を用いることなく、採用が容易な減衰部を使用して、高いイメージ信号の抑圧比を得ることができる。
【００３０】
第６の発明によれば、減衰部を備えることによって、設計上の要求や低コスト化のために、互いに等しい増幅率の増幅部、すなわち、２つの増幅部として２つの同じ部品を使用することができる。
【００３１】
第７の発明によれば、２つの増幅部を用いて、不要な信号を高い抑圧比で抑圧でき、さらに、２つの送信信号を選択して受信することができる。
【００３２】
第８の発明によれば、予め２つの増幅率の値の組を２つ設定しておくことで、制御部の処理の負担を軽減することができる。
【００３３】
第９の発明によれば、２つの減衰部を用いて、不要な信号を高い抑圧比で抑圧でき、さらに、２つの送信信号を選択して受信することができる。
【００３４】
第１０の発明によれば、予め２つの減衰率の値の組を２つ設定しておくことで、制御部の処理の負担を軽減することができる。
【００３５】
第１１の発明によれば、２つの増幅部の増幅率を制御するときにおいて、混合部から出力される不要な信号成分を、完全に除去することができる。
【００３６】
第１２の発明によれば、２つの減衰部の減衰率を制御するときにおいて、混合部から出力される不要な信号成分を、完全に除去することができる。
【発明を実施するための最良の形態】
【００３７】
図１は、本発明に係る受信機を採用したスーパーヘテロダイン方式の無線通信機の構成を示す図である。図１に示す無線通信機は、アンテナ１と、受信機１０（受信機１１、１２、１３、２０、２１、２２）と、混合部２と、局部発振部３と、中間周波数フィルタ４と、中間周波数増幅部５と、復調回路６とからなる。受信機１０は、アンテナ１から入力される無線信号から不要な信号を除去して、所望の周波数の信号のみを出力する。そして、受信機１０から出力された所望の信号の周波数が、局部発振部３から出力される局発信号と混合部２で混合されることにより、中間周波数に変換される。さらに、周波数が変換された所望の信号を中間周波数増幅部５で増幅した後に、復調回路６で復調することで、必要な情報を得ることができる。以下、本発明に係る受信機の詳細について説明する。
【００３８】
（第１の実施形態）
図２は、第１の実施形態に係る受信機１０の構成を示すブロック図である。受信機１０は、第１の信号通過フィルタ１０１と、第２の信号通過フィルタ１０２と、第１の増幅部１０３と、第２の増幅部１０４と、移相部１０５と、混合部１０６とを備える。
【００３９】
第１の信号通過フィルタ１０１は、アンテナ１から入力される無線信号の内、受信を目的とする所定の周波数の信号（以下、第１の送信信号という）を含む狭帯域の信号を通過させて、第１の信号として出力する。ただし、第１の信号通過フィルタ１０１の選択度や減衰傾度などの特性には限界があるため、所定の周波数と書体の周波数に対するイメージ周波数とが近い場合には、除去しきれないイメージ周波数の信号成分（以下、第２の送信信号成分という）も第１の信号通過フィルタ１０１から出力される。結果的に、第１の信号通過フィルタ１０１は、上記第１の送信信号に加えてその第２の送信信号成分も通過させてしまう。尚、第１の信号通過フィルタ１０１の通過域は、予め設定された中心周波数を含む所定の周波数帯域であるものとする。
【００４０】
第２の信号通過フィルタ１０２は、アンテナ１から入力される無線信号の内、上記所定の周波数に対するイメージ周波数の信号（以下、第２の送信信号という）を含む狭帯域の信号を通過させて、第２の信号として出力する。ただし、第２の信号通過フィルタ１０２の選択度や減衰傾度などの特性に限界があるため、第２の送信信号の周波数と第１の送信信号の周波数とが近い場合には、除去しきれない第１の送信信号成分も第２の信号通過フィルタ１０２から出力される。結果的に、第２の信号通過フィルタ１０２は、上記第２の送信信号に加えて上記第１の送信信号成分も通過させてしまう。尚、第２の信号通過フィルタ１０２の通過域は、第１の送信信号の周波数に応じて予め設定された中心周波数を含む所定の周波数帯域であるものとする。
【００４１】
図３は、第１の信号通過フィルタ１０１から出力される信号のレベルと第２の信号通過フィルタ１０２から出力される信号のレベルとを比較する図である。図３に示すとおり、第２の信号通過フィルタ１０２から出力される第２の信号に含まれる第２の送信信号のレベルは、第１の信号通過フィルタ１０１から出力される第１の信号に含まれる第２の送信信号成分のレベルに対して、高いレベルである。第１の実施形態に係る受信機１０は、第２の信号に含まれる高いレベルの第２の送信信号を用いて、第１の信号に含まれる第２の送信信号成分を除去して、第１の信号に含まれる第１の送信信号のみを出力する。そのために、受信機１０は、第１の信号と第２の信号とをそれぞれ増幅して、第１の信号に含まれる第２の送信信号成分のレベルと第２の信号に含まれる第２の送信信号のレベルとが互いに等しくなるように、第１の信号及び第２の信号のレベルを調整する。
【００４２】
第１の増幅部１０３は、第１の信号、すなわち、第１の送信信号と第２の送信信号成分とを予め定められた所定の増幅率（以下、第１の増幅率という）で増幅する。また、第２の増幅部１０４は、第２の信号、すなわち、第２の送信信号と第１の送信信号成分とを予め定められた所定の増幅率（以下、第２の増幅率という）で増幅する。
【００４３】
図４は、第１の増幅部１０３が増幅した第１の信号のレベルと第２の増幅部１０４が増幅した第２の信号のレベルとを比較する図である。図４に示すとおり、第１の増幅部１０３によって増幅された第２の送信信号成分のレベルと第２の増幅部１０４によって増幅された第２の送信信号のレベルとを等しいレベル（レベル：ａ）にする。これは、第１の増幅部１０３によって増幅された第２の送信信号成分のレベルと第２の増幅部１０４によって増幅された第２の送信信号のレベルとが互いに等しくなるように、第１の増幅率及び第２の増幅率が予め定められているからである。ここで、アンテナ１から入力される第１の送信信号のレベルと第２の送信信号のレベルとの比は、事前にある程度の予測をすることが可能であるため、第１の増幅率及び第２の増幅率を上述したように予め定めておくことは、可能である。尚、第１の実施形態において、第１の増幅率は第２の増幅率よりも高い増幅率となる。
【００４４】
次に、第１の増幅部１０３によって増幅された第１の信号に含まれる信号の内、第２の送信信号成分を打ち消すことのできる信号を生成するために、第２の増幅部１０４によって増幅された第２の信号を移相部１０５へ出力する。
【００４５】
移相部１０５は、第２の増幅部１０４によって増幅された第２の信号の位相を１８０度ずらして、当該信号のレベルを反転させる。図５は、移相部１０５によってレベルが反転された第２の信号のレベルと第１の増幅部１０３によって増幅された第１の信号のレベルとを比較する図である。図５に示すように、第２の増幅部１０４によって増幅された第２の信号の位相を１８０度ずらすことによって、当該信号に含まれる第２の送信信号のレベルは負の値（レベル：−ａ）となる。
【００４６】
混合部１０６は、第１の増幅部１０３によって増幅された第１の信号と移相部１０５によって位相をずらされた第２の信号とを混合する。図６は、混合部１０６から出力された信号のレベルを示す図である。図６に示すとおり、混合部１０６が、第１の増幅部１０３によって増幅された第１の信号と移相部１０５によって位相をずらされた第２の信号とを混合することにより、第１の増幅部１０３によって増幅された第１の信号に含まれる第２の送信信号成分を除去することができる。これは、第１の増幅部１０３によって増幅された第２の送信信号成分のレベル（レベル：ａ）と移相部１０５によって位相をずらされた第２の送信信号のレベル（レベル：−ａ）とが、互いに反転した関係（レベル：ａとレベル：−ａ）であるため、互いに打ち消し合うからである。尚、混合部１０６において、第１の増幅部１０３によって増幅された第１の送信信号のレベルは、移相部１０５によってレベルを反転された第１の送信信号成分と混合されることで減少するが、移相部１０５によってレベルを反転された第１の送信信号成分のレベルの絶対値は、第１の増幅部１０３によって増幅される第１の送信信号のレベルよりも十分に低い値であるため、問題はない。
【００４７】
以上より、第１の実施形態に係る受信機１０によれば、第１の送信信号（所望の信号）の周波数と第２の送信信号（イメージ信号）の周波数とが互いに近い場合でも、第１の信号通過フィルタ１０１から出力される第１の信号に含まれる第２の送信信号成分（イメージ信号成分）を除去することができ、高いイメージ信号成分の抑圧比を得ることができる。
【００４８】
尚、第１の実施形態に係る受信機１０において、第２の増幅部１０４は、必ずしも備えられている必要はない。受信機１０が、第２の増幅部１０４を備えていないときは、第１の増幅部１０３によって増幅される第２の送信信号成分のレベルと第２の信号通過フィルタ１０２から出力される第２の送信信号のレベルとが等しくなるように、第１の増幅部１０３の増幅率を予め定めておけばよい。そして、第２の信号通過フィルタ１０２から出力される第２の信号のレベルを移相部１０５によって反転させて、レベルを反転させた第２の信号と第１の増幅部１０３によって増幅された第１の信号とを混合することで、第１の実施形態と同様の効果が得られる。
【００４９】
（第１の実施形態の変形例）
第１の実施形態では、第１の増幅部１０３と第２の増幅部１０４とは、互いに異なる増幅部、すなわち、互いに異なる増幅率が設定されている増幅部であった。しかし、実際に製品を製造するときには、設計上の要求やコストの面から第１の増幅部１０３と第２の増幅部１０４とに同じ増幅部、すなわち、互いに同一の増幅率が設定されている増幅部を使用することもある。第１の実施形態の変形例に係る受信機では、このような場合でも、新たに減衰部を備えることで第１の増幅部１０３によって増幅される第２の送信信号成分を除去することができる。図７は、第１の実施形態の変形例に係る受信機１１の構成を示すブロック図である。第１の実施形態に係る受信機１０と第１の実施形態の変形例に係る受信機１１との相違点は、受信機１１が減衰部１０８を備える点及び第１の増幅部１０３及び第２の増幅部１０４のそれぞれに設定されている増幅率が異なる点である。したがって、受信機１１において、第１の実施形態に係る受信機１０と同一の構成要素については、同一の参照符号を付している。そして、同一の構成要素については、詳細な説明を省略する。
【００５０】
第１の増幅部１０３は、第１の信号通過フィルタ１０１から出力される第１の信号、すなわち、第１の送信信号及び第２の送信信号成分を予め定められた第１の増幅率で増幅する。また、第２の増幅部１０４は、第２の信号通過フィルタ１０２から出力される第２の信号、すなわち、第２の送信信号及び第１の送信信号成分を予め定められた第２の増幅率で増幅する。ここで、第１の実施形態の変形例では、前述したとおり、第１の増幅率及び第２の増幅率は互いに等しい増幅率であるものとする。
【００５１】
図８は、第１の増幅部１０３によって増幅された第１の信号のレベルと第２の増幅部１０４によって増幅された第２の信号のレベルとを比較する図である。図８に示すとおり、第２の増幅部１０４によって増幅された第２の送信信号のレベルは、第１の増幅部１０３によって増幅された第１の送信信号成分のレベル（レベルａ）よりも高いレベルになる。これは、第１の実施形態の変形例では、第２の増幅部１０４に第１の増幅率と同じ増幅率、すなわち、第１の実施形態における第２の増幅率よりも高い増幅率が設定されるためである。したがって、受信機１１では、第１の実施形態と同様に、第２の増幅部１０４によって増幅された第２の信号のレベルを反転させて、レベルを反転させた第２の信号と第１の増幅部１０３によって増幅された第１の信号とを混合しても、混合部１０６から出力される信号には、レベルが反転した第２の送信信号が残ってしまう。このため、受信機１１では、第２の増幅部１０４によって増幅された第２の信号のレベルを減衰させる必要がある。
【００５２】
減衰部１０７は、第２の増幅部１０４によって増幅された第２の信号を、予め定められた所定の減衰率で減衰させる。減衰部１０７に設定されている減衰率は、第２の増幅部１０４によって増幅された第２の送信信号のレベルが、第１の増幅部１０３によって増幅された第２の送信信号成分のレベルと同じレベルになるように、予め定められている。図９は、減衰部１０７によって減衰された第２の信号のレベルと第１の増幅部１０３によって増幅された第１の信号のレベルとを比較する図である。図９に示すとおり、減衰部１０７によって減衰された第２の送信信号のレベルが、第１の増幅部１０３によって増幅された第２の送信信号成分のレベルと等しいレベル（レベル：ａ）となる。尚、第１の実施形態で述べた通り、アンテナ１から入力される第１の送信信号のレベルと第２の送信信号のレベルとの比は、事前にある程度の予測をすることが可能である。このため、前述したように減衰部１０７の減衰率を予め定めておくことは可能である。また、第２の増幅部１０４と減衰部１０７とをまとめて一つの増幅部として見た場合、当該増幅部全体の増幅率は、第１の増幅部１０３の増幅率よりも小さい増幅率となることは言うまでもない。
【００５３】
減衰部１０７によってレベルが減衰された第２の信号は、前述した移相部１０５へ出力される。尚、移相部１０５によって位相が調整された第２の信号のレベルと第１の増幅部１０３によって増幅された第１の信号のレベルとを比較する図は、図５と同じ図である。
【００５４】
移相部１０５によってレベルが反転された第２の信号は、第１の増幅部１０３によって増幅された第１の信号と共に前述した混合部１０６に入力されて、当該第１の信号に含まれる第２の送信信号成分が打ち消される。尚、混合部１０６から出力される信号のレベルを示す図は、図６と同じ図である。
【００５５】
以上より、第１の実施形態の変形例に係る受信機１１によれば、第１の増幅部１０３の増幅率と第２の増幅部１０４の増幅率とが同じである場合でも、第１の実施形態に係る受信機１０と同様に第１の信号に含まれる信号の内、第２の送信信号成分（イメージ信号成分）を除去することができる。つまり、第１の実施形態の変形例によれば、設計上の要求や製作コストなどの観点から第１の増幅部１０３と第２の増幅部１０４とに同じ部品を使用しなければならない場合でも、高い抑圧比でイメージ信号成分を抑圧できる。
【００５６】
（第１の実施形態の第２の変形例）
第１の実施形態に係る受信機１０が受信できる送信信号は１つであった。しかし、本発明は、第１の送信信号の周波数または第２の送信信号の周波数のいずれか一方が、いずれか他方の周波数に対するイメージ周波数と同一である場合に、互いに異なる周波数の第１の送信信号及び第２の送信信号のいずれか一方を選択して受信することが可能な受信機を構成することができる。図１０は、そのために構成された第１の実施形態の第２の変形例に係る受信機１２の構成を示すブロック図である。尚、第１の実施形態の第２の変形例においては、第１の送信信号及び第２の送信信号のそれぞれの周波数を第１の送信周波数及び第２の送信周波数という。
【００５７】
図１０に示す受信機１２は、第１の信号通過フィルタ１０１と、第２の信号通過フィルタ１０２と、第１の増幅部１０１１と、第２の増幅部１０１２と、移相部１０５と、混合部１０６と、制御部１０１３とを備える。尚、第１の実施形態の第２の変形例において、第１の実施形態と同一の構成要素については、同一の参照符号を付している。そして、同一の構成要素については、詳細な説明を省略する。
【００５８】
第１の実施形態の第２の変形例では、受信機１２が第１の送信信号を受信する場合、第２の信号通過フィルタ１０２から出力される第２の送信信号を用いて、第１の信号通過フィルタ１０１から出力される第２の送信信号成分を除去する。一方、受信機１２が第２の送信信号を受信する場合、第１の信号通過フィルタ１０１から出力される第１の送信信号を用いて、第２の信号通過フィルタ１０２から出力される第１の送信信号成分を除去する。そのために、受信機１２は、受信する送信信号に応じて、後述する第１の増幅部１０１１及び第２の増幅部１０１２の増幅率をそれぞれ制御して、受信を目的としない信号成分が混合部１０６によって打ち消されるように、それぞれのフィルタから出力される信号のレベルを調整する。
【００５９】
尚、第１の信号通過フィルタ１０１から出力される信号のレベルと第２の信号通過フィルタ１０２から出力される信号のレベルとを比較する図は、図３である。
【００６０】
第１の増幅部１０１１は、第１の信号通過フィルタ１０１から出力される第１の信号、すなわち、第１の送信信号及び第２の送信信号成分を含む信号を、後述する制御部１０１３によって制御される第１の増幅率で増幅する。また、第２の増幅部１０１２は、第２の信号通過フィルタ１０２から出力される第２の信号、すなわち、第２の送信信号及び第１の送信信号成分を含む信号を、後述する制御部１０１３によって制御される第２の増幅率で増幅する。
【００６１】
図１１Ａ及び図１１Ｂは、受信機１２が第１の送信信号、または、第２の送信信号を受信するそれぞれのときに第１の増幅部１０１１によって増幅された第１の信号のレベル及び第２の増幅部１０１２によって増幅された第２の信号のレベルをそれぞれ比較する図である。図１１Ａに示すとおり、受信機１２が第１の送信信号を受信するときは、第１の増幅部１０１１から出力される第２の送信信号成分のレベルと第２の増幅部１０１２から出力される第２の送信信号のレベルとが互いに等しいレベル（レベル：ａ）となる。一方、図１１Ｂに示すとおり、受信機１２が第２の送信信号を受信するときは、第１の増幅部１０１１から出力される第１の送信信号のレベルと第２の増幅部１０１２から出力される第１の送信信号成分のレベルとが互いに等しいレベル（レベル：ａ）となる。
【００６２】
受信機１２は、第１の増幅部１０１１及び第２の増幅部１０１２によってそれぞれの信号のレベルを増幅した後、受信を目的としない信号成分を混合部１０６によって打ち消す信号を生成するために、第２の増幅部１０１２によって増幅された第２の信号を移相部１０５に入力する。
【００６３】
移相部１０５は、第２の増幅部１０１２によって増幅された第２の信号の位相を１８０度ずらして、入力された第２の信号のレベルを反転させる。図１２Ａ及び図１２Ｂは、受信機１２が第１の送信信号、または、第２の送信信号を受信するそれぞれのときに、第１の増幅部１０１１によって増幅された第１の信号のレベルと移相部１０５によってレベルが反転された第２の信号のレベルとをそれぞれ比較する図である。図１２Ａに示すとおり、受信機１２が第１の送信信号を受信するとき、第１の増幅部１０１１から出力される第２の送信信号成分のレベルと移相部１０５から出力される第２の送信信号のレベルとが、互いに反転した関係（レベル：ａとレベル：−ａ）となる。一方、図１２Ｂに示すとおり、受信機１２が第２の送信信号を受信するとき、第１の増幅部１０１１から出力される第１の送信信号のレベルと移相部１０５から出力される第１の送信信号成分のレベルとが、互いに反転した関係（レベル：ａとレベル：−ａ）となる。次に、受信機１２は、受信を目的としない信号成分を打ち消すために、第１の増幅部１０１１によって増幅された第１の信号及び移相部１０５によってレベルが反転された第２の信号を混合部１０６に入力する。
【００６４】
混合部１０６は、第１の増幅部１０１１によって増幅された第１の信号と移相部１０５によってレベルを反転された第２の信号とを混合する。図１３Ａ及び図１３Ｂは、受信機１２が第１の送信信号、または、第２の送信信号を受信するそれぞれのときに、混合部１０６から出力される信号のレベルをそれぞれ示す図である。図１３Ａに示すとおり、受信機１２が第１の送信信号を受信するとき、第１の増幅部１０１１から出力される第２の送信信号成分と移相部１０５から出力される第２の送信信号とは、前述したとおり互いにレベルが反転した関係である。このため、第１の増幅部１０１１から出力される第２の送信信号成分と移相部１０５から出力される第２の送信信号とは混合部１０６によって混合されることで、互いに打ち消し合い、混合部１０６からは第１の送信信号のみが出力される。一方、図１３Ｂに示すとおり、受信機１２が第２の送信信号を受信するとき、第１の増幅部１０１１から出力される第１の送信信号と移相部１０５から出力される第１の送信信号成分とは、前述したとおり互いにレベルが反転した関係である。このため、第１の増幅部１０１１から出力される第１の送信信号と移相部１０５から出力される第１の送信信号成分とは混合部１０６によって混合されることで、互いに打ち消し合い、混合部１０６からは第２の送信信号のみが出力される。
【００６５】
尚、混合部１０６の後段には、図１に示すとおり混合部２が設けられている。混合部２は、局部発振部３から出力される局発信号と混合部１０６から出力される信号とを混合して、混合部１０６から出力される信号の周波数を、これらの信号の周波数の差の絶対値に変換する。このため、図１３Ｂに示すように、混合部１０６から負のレベルの信号が出力されたときでも、混合部２から出力される信号の周波数は絶対値であるため、後段の回路で正常に信号を復調することができる。
【００６６】
次に、制御部１０１３の動作について説明する。制御部１０１３は、ユーザーによって手動で切り換えられる図示しないスイッチの状態に基づいて、ユーザーが第１の送信信号及び第２の送信信号のいずれを受信することを目的としているかを判断する。そして、制御部１０１３は、ユーザーの目的に応じて、前述した第１の増幅部１０１１の増幅率及び第２の増幅部１０１２の増幅率をそれぞれ制御する。
【００６７】
制御部１０１３は、第１の送信信号を受信するようにスイッチが切り換えられたとき、第１の増幅部１０１１によって増幅された第２の送信信号成分のレベルと第２の増幅部１０１２によって増幅された第２の送信信号のレベルとが互いに等しくなるように、それぞれの増幅率を制御する。一方、制御部１０１３は、第２の送信信号を受信するようにスイッチが切り換えられたとき、第２の増幅部１０１２によって増幅された第１の送信信号成分のレベルと第１の増幅部１０１１によって増幅された第１の送信信号のレベルとが互いに等しくなるように、それぞれの増幅率を制御する。
【００６８】
次に、制御部１０１３によって制御される第１の増幅部１０１１及び第２の増幅部１０１２のそれぞれの増幅率について説明する。前述したとおり、アンテナ１から入力される第１の送信信号のレベルと第２の送信信号のレベルとの比は、事前にある程度の予測をすることが可能である。したがって、受信機１２が第１の送信信号を受信するときの第１の増幅率及び第２の増幅率の値の組は、それぞれ予め定めておくことができる。また、受信機１２が第２の送信信号を受信するときの第１の増幅率及び第２の増幅率の値の組も、それぞれ予め定めておくことができる。つまり、第１の増幅率及び第２の増幅率の値の組を２つ定めておくことで、制御部１０１３は、ユーザーの目的に応じて、第１の増幅部１０１１及び第２の増幅部１０１２のそれぞれの増幅率を予め定められた増幅率の値の組の中から選択して、選択した増幅率の値の組のそれぞれと同じ値となるようにそれぞれの増幅部の増幅率を制御することができる。
【００６９】
また、受信機１２が第１の送信信号を受信するときに、制御部１０１３が選択する増幅率の値の組は、第１の増幅率＞第２の増幅率の関係を満たす値の組である。また、受信機１２が第２の送信信号を受信するときに、制御部１０１３が選択する値の組は、第１の増幅率＜第２の増幅率の関係を満たす値の組である。
【００７０】
図１４は、制御部１０１３の詳細な動作を説明するフローチャートである。以下、図１４のフローチャートを参照しながら、制御部１０１３の動作を説明する。
【００７１】
ステップＳ１０１において、制御部１０１３は、スイッチが第１の送信信号を受信するように切り換えられているか否かを判断する。制御部１０１３は、スイッチが第１の送信信号を受信するように切り換えられていると判断したとき、ステップＳ１０２へ処理を進める。一方、制御部１０１３は、スイッチが第１の送信信号を受信するように切り換えられていないと判断したとき、すなわち、スイッチが第２の送信信号を受信するように切り換えられていると判断したとき、ステップＳ１０３へ処理を進める。
【００７２】
ステップＳ１０２において、制御部１０１３は、第１の増幅部１０１１から出力される第２の送信信号成分のレベルと第２の増幅部１０１２から出力される第２の送信信号のレベルとが互いに等しいレベルになるように、第１の送信信号を受信するために予め定められた値の組、すなわち、第１の増幅率＞第２の増幅率の関係を満たす値の組を選択する。前述の図１１Ａは、制御部１０１３が、ステップＳ１０２に示す処理をしたときに、第１の増幅部１０１１から出力される第１の信号のレベルと第２の増幅部１０１２から出力される第２の信号のレベルとを比較する図である。
【００７３】
一方、ステップＳ１０３において、制御部１０１３は、第２の増幅部１０１２から出力される第１の送信信号成分のレベルと第１の増幅部１０１１から出力される第１の送信信号のレベルとが互いに等しいレベルになるように、第２の送信信号を受信するために予め定められた値の組、すなわち、第１の増幅率＜第２の増幅率の関係を満たす値の組を選択する。前述の図１１Ｂは、制御部１０１３が、ステップＳ１０３に示す処理をしたときに、第１の増幅部１０１１によって増幅される第１の信号のレベルと第２の増幅部１０１２によって増幅される第２の信号のレベルとを比較する図である。
【００７４】
ステップＳ１０４において、制御部１０１３は、第１の増幅部１０１１及び第２の増幅部１０１２のそれぞれの増幅率が、ステップＳ１０２あるいはステップＳ１０３において選択した値の組のそれぞれの増幅率となるように、それぞれの増幅部の増幅率を制御する。
【００７５】
ステップＳ１０５において、制御部１０１３は、受信機１２の電源がＯｆｆとなっているか否かを判断する。制御部１０１３は、受信機１２の電源がＯｆｆとなっていないと判断したとき、ステップＳ１０１の処理へ戻る。一方、制御部１０１３は、受信機１２の電源がＯｆｆとなっていると判断したとき、図１４のフローチャートに示す処理を完了する。
【００７６】
以上より、第１の実施形態の第２の変形例によれば、第１の送信信号及び第２の送信信号のいずれか一方の周波数が、いずれか他方の送信信号の周波数に対するイメージ周波数と同一であるとき、互いに異なる周波数の第１の送信信号及び第２の送信信号の中から、いずれか一方の送信信号を選択して受信すると同時に、受信を目的としない不要な信号を高い抑圧比で抑圧することができる。
【００７７】
（第１の実施形態の第３の変形例）
第１の実施形態の第２の変形例では、２つの増幅部の増幅率をそれぞれ制御して、受信を目的としない信号を抑圧していた。しかし、設計上の要求やコストの観点から、第１の実施形態の変形例と同様に、２つの増幅部の増幅率を互いに等しくしたい場合がある。本発明は、この場合でも、２つの減衰部を新たに設けて、それぞれの減衰部の減衰率を制御することで、受信を目的としない信号を抑圧することができる。図１５は、そのために構成された第１の実施形態の第３の変形例に係る受信機１３の構成を示すブロック図である。受信機１３は、受信機１２と比較すると、第１の増幅部１０１１及び第２の増幅部１０１２に代えて、前述した第１の増幅部１０３及び第２の増幅部１０４とを備えている。さらに、受信機１３は、受信機１２と比較すると、第１の減衰部１０１４と、第２の減衰部１０１５と、制御部１０１６とを新たに備えている。したがって、受信機１３において、前述した他の実施形態または変形例において説明した構成要素と同一の構成要素については、同一の参照符号を付している。そして、同一の構成要素については、詳細な説明を省略する。
【００７８】
第１の実施形態の第３の変形例について、受信機１３が第１の送信信号を受信するとき、または、第２の送信信号を受信するときのいずれのときでも、第１の増幅部１０３から出力される第１の信号のレベル及び第２の増幅部１０４から出力される第２の信号のレベルを示す図は、図８に示すレベルと等しくなる。つまり、第１の実施形態の第３の変形例において、受信機１３が第１の送信信号及び第２の送信信号のいずれの送信信号を受信するときでも、第１の増幅部１０３から出力される第１の信号のレベル及び第２の増幅部１０４から出力される第２の信号のレベルは、第１の増幅部１０３及び第２の増幅部１０４のそれぞれの増幅率が予め定められた一定の増幅率であるため、変化しない。このため、第１の実施形態の第３の変形例では、第１の増幅部１０３から出力される第１の信号及び第２の増幅部１０４から出力される第２の信号のそれぞれのレベルを、受信を目的とする送信信号に応じて、減衰する必要がある。
【００７９】
第１の減衰部１０１４は、第１の増幅部１０３によって増幅された第１の信号を、後述する制御部１０１６によって制御される第１の減衰率で減衰する。また、第２の減衰部１０１５は、第２の増幅部１０４によって増幅された第２の信号を、後述する制御部１０１６によって制御される第２の減衰率で減衰する。
【００８０】
ここで、受信機１３が、第１の送信信号または第２の送信信号を受信するそれぞれのときに第１の減衰部１０１４によって減衰された第１の信号のレベル及び第２の減衰部１０１５によって減衰された第２の信号のレベルをそれぞれ比較する図は、図１１Ａ及び図１１Ｂにおいて、第１の増幅部１０１１を第１の減衰部１０１４と読み替え、第２の増幅部１０１２を第２の減衰部１０１５と読み替えた図である。読み替えた図１１Ａに示すとおり、受信機１３が第１の送信信号を受信するときは、第１の減衰部１０１４から出力される第２の送信信号成分のレベルと第２の減衰部１０１５から出力される第２の送信信号のレベルとが互いに等しいレベル（レベル：ａ）となる。一方、読み替えた図１１Ｂに示すとおり、受信機１３が第２の送信信号を受信するときは、第１の減衰部１０１４から出力される第１の送信信号のレベルと第２の減衰部１０１５から出力される第１の送信信号成分のレベルとが互いに等しいレベル（レベル：ａ）となる。
【００８１】
第１の実施形態の第３の変形例では、第１の実施形態の第２の変形例と同様に、第２の減衰部１０１５によって減衰された第２の信号のレベルを、移相部１０５によって反転させる。そして、第１の減衰部１０１４から出力される第１の信号と移相部１０５から出力される第２の信号とを混合部１０６によって混合することで、受信を目的とする信号が混合部１０６から出力される。このとき、受信を目的としない信号成分が混合部１０６によって打ち消されるには、制御部１０１６が、ユーザーの目的に応じて第１の減衰率及び第２の減衰率をそれぞれ制御する必要がある。以下、第１の減衰率及び第２の減衰率のそれぞれを制御する制御部１０１６の動作を説明する。
【００８２】
制御部１０１６は、ユーザーによって手動で切り換えられる図示しないスイッチの状態に基づいて、ユーザーが第１の送信信号及び第２の送信信号のいずれを受信することを目的としているかを判断する。そして、制御部１０１６は、ユーザーの目的に応じて、前述した第１の減衰部１０１４の減衰率及び第２の減衰部１０１５の減衰率をそれぞれ制御する。
【００８３】
制御部１０１６は、第１の送信信号を受信するようにスイッチが切り換えられたとき、第１の減衰部１０１４によって減衰された第２の送信信号成分のレベルと第２の減衰部１０１５によって減衰された第２の送信信号のレベルとが互いに等しくなるように、それぞれの減衰率を制御する。一方、制御部１０１６は、第２の送信信号を受信するようにスイッチが切り換えられたとき、第２の減衰部１０１５によって減衰された第１の送信信号成分のレベルと第１の減衰部１０１４によって減衰された第１の送信信号のレベルとが互いに等しくなるように、それぞれの減衰率を制御する。
【００８４】
次に、制御部１０１６によって制御される第１の減衰部１０１４及び第２の減衰部１０１５のそれぞれの減衰率について説明する。前述したとおり、アンテナ１から入力される第１の送信信号のレベルと第２の送信信号のレベルとの比は、事前にある程度の予測をすることが可能である。したがって、受信機１３が第１の送信信号を受信するときの第１の減衰率及び第２の減衰率の値の組は、それぞれ予め定めておくことができる。また、受信機１３が第２の送信信号を受信するときの第１の減衰率及び第２の減衰率の値の組も、それぞれ予め定めておくことができる。つまり、第１の減衰率及び第２の減衰率の値の組を２つ定めておくことで、制御部１０１６は、ユーザーの目的に応じて、第１の減衰部１０１４及び第２の減衰部１０１５のそれぞれの減衰率を予め定められた減衰率の値の組の中から選択して、選択した減衰率の値の組のそれぞれと同じ値となるようにそれぞれの減衰部の減衰率を制御することができる。
【００８５】
また、受信機１３が第１の送信信号を受信するときに、制御部１０１６が選択する減衰率の値の組は、第１の減衰率＜第２の減衰率の関係を満たす値の組である。また、受信機１３が第２の送信信号を受信するときに、制御部１０１６が選択する値の組は、第１の減衰率＞第２の減衰率の関係を満たす値の組である。
【００８６】
尚、受信機１３が第１の送信信号、または、第２の送信信号を受信するときの第１の減衰部１０１４から出力される第１の信号のレベルと移相部１０５から出力される第２の信号のレベルとをそれぞれ比較すると、図１２Ａ及び図１２Ｂのそれぞれにおいて、第１の増幅部１０１１を第１の減衰部１０１４と読み替えた図にそれぞれ示すレベルとなる。また、受信機１３が第１の送信信号または第２の送信信号を受信するときの混合部１０６から出力される信号のレベルは、図１３Ａ及び図１３Ｂにそれぞれ示すレベルとなる。
【００８７】
次に、制御部１０１６の動作を、図１６に示すフローチャートを参照しながら説明する。図１６のフローチャートは、図１４のフローチャートの一部を変更したものである。したがって、図１４のフローチャートと同一の処理については同一の参照符号を付して、説明を省略する。
【００８８】
ステップＳ２０１において、制御部１０１６は、第２の減衰部１０１５から出力される第２の送信信号のレベルと第１の減衰部１０１４から出力される第２の送信信号成分のレベルとが互いに等しくなるように、第１の送信信号を受信するために予め定められた値の組、すなわち、第１の減衰率＜第２の減衰率の関係を満たす値の組を選択する。
【００８９】
一方、ステップＳ２０２において、制御部１０１６は、第１の減衰部１０１４から出力される第１の送信信号のレベルが第２の減衰部１０１５から出力される第１の送信信号成分のレベルと互いに等しくなるように、第２の送信信号を受信するために予め定められた値の組、すなわち、第１の減衰率＞第２の減衰率の関係を満たす値の組を選択する。
【００９０】
ステップＳ２０３において、制御部１０１６は、第１の減衰部１０１４及び第２の減衰部１０１５のそれぞれの減衰率が、ステップＳ２０１あるいはステップＳ２０２において、選択した値の組のそれぞれの減衰率となるように、それぞれの減衰部の減衰率を制御する。
【００９１】
以上より、第１の実施形態の第３の変形例によれば、増幅部ではなく、減衰部によってそれぞれの信号のレベルを調整することで、受信を目的としない不要な信号を高い抑圧比で抑圧して、受信を目的とする信号のみを受信することができる。
【００９２】
（第２の実施形態）
第１の実施形態では、第２の増幅部１０４によって増幅された第２の信号の位相を調整して、第２の送信信号成分（イメージ信号成分）を除去していた。これに対して、本発明では、第１の増幅部１０３によって増幅された第１の信号の位相を調整して、第２の送信信号成分を除去することもできる。図１７は、そのために構成された第２の実施形態に係る受信機２０の構成を示す図である。図１７に示すとおり、第２の実施形態に係る受信機２０は、第１の増幅部１０３によって増幅された第１の信号の位相を調整するために、第１の増幅部１０３の後段に前述した移相部１０５を備えている点が、第１の実施形態との相違点である。したがって、第２の実施形態に係る受信機２０において、第１の実施形態と同一の構成には同一の参照符号を付している。そして、同一の構成要素については、詳細な説明を省略する。また、第２の実施形態では、第１の実施形態と同様に、受信を目的とする信号を第１の送信信号とし、受信を目的としない信号、すなわち、イメージ信号を第２の送信信号とする。また、第２の信号通過フィルタ１０２から出力される受信を目的とする信号成分を第１の送信信号成分とし、第１の信号通過フィルタ１０１から出力されるイメージ信号成分を第２の送信信号成分とする。
【００９３】
前述したように受信機２０は、第１の増幅部１０３によって増幅された第１の信号のレベルを移相部１０５によって反転させる。図１８は、移相部１０５によってレベルを反転された第１の信号のレベルと第２の増幅部１０４によって増幅された第２の信号のレベルとを比較する図である。図１８に示すとおり、第１の実施形態では第２の増幅部１０４によって増幅された第２の信号のレベルが負の値となっていたのに対して、第２の実施形態では第１の増幅部１０３によって増幅された第１の信号のレベルが負の値となっている。そして、受信機２０は、レベルを反転させた第１の信号と第２の増幅部１０４から出力される第２の信号とを混合部１０６によって混合する。
【００９４】
図１９は、混合部１０６から出力される信号のレベルを示す図である。図１９に示されるように、第２の実施形態では、混合部１０６から出力される信号のレベルは負の値となる。しかし、混合部１０６から負のレベルの信号が出力される場合でも、第１の実施形態の第２の変形例で述べた理由と同じ理由により、負のレベルの信号を正常に復調することができるため、問題はない。
【００９５】
以上より、第２の実施形態によれば、第２の増幅部１０４の後段に移相部１０５を設ける代わりに、第１の増幅部１０３の後段に移相部１０５を設けて、第１の増幅部１０３によって増幅された第１の信号のレベルを反転させることにより、レベルを反転させた第１の信号に含まれる第２の送信信号成分（イメージ信号成分）を除去することができ、高いイメージ信号成分の抑圧比を得ることができる。
【００９６】
尚、第２の実施形態に係る受信機２０において、第２の増幅部１０４は、必ずしも備えられている必要はない。受信機２０が、第２の増幅部１０４を備えていない場合は、第１の増幅部１０３によって増幅される第２の送信信号成分のレベルと第２の信号通過フィルタ１０２から出力される第２の送信信号のレベルとが等しくなるように、第１の増幅部１０３の増幅率を予め定めておけばよい。そして、第１の増幅部１０３によって増幅された第１の信号のレベルを移相部１０５によって反転させて、混合部１０６においてレベルを反転させた第１の信号と第２の信号通過フィルタ１０２から出力される第２の信号とを混合することによって、第２の実施形態と同様の効果が得られる。
【００９７】
尚、第２の実施形態において、第１の実施形態の変形例と同様に、第１の増幅率及び第２の増幅率が互いに等しい増幅率である場合に、第２の増幅部１０４の後段に、減衰部を設けてもよい。図２０は、そのために構成された受信機２１の構成を示す図である。図２０に示す構成を採用すれば、第２の実施形態において、設計上の要求や製作コストなどの観点から第１の増幅部１０３及び第２の増幅部１０４に同じ部品を使用しなければならない場合でも、高い抑圧比で第２の送信信号成分（イメージ信号成分）を抑圧することができる。
【００９８】
（第２の実施形態の変形例）
第２の実施形態に係る受信機２０が受信できる送信信号の周波数は１つであった。しかし、本発明は、第１の実施形態の第２の変形例と同様に、第１の送信信号の周波数または第２の送信信号の周波数のいずれか一方が、いずれか他方の周波数に対するイメージ周波数と同一である場合に、互いに異なる周波数の第１の送信信号及び第２の送信信号のいずれか一方を選択して受信することが可能な受信機を構成することができる。図２１は、そのために構成された第２の実施形態の変形例に係る受信機２２の構成を示すブロック図である。受信機２２の構成は、第１の実施形態の第２の変形例に係る受信機１２と比較すると、第２の増幅部１０１２の後段に移相部１０５を備えていたのに対して、第１の増幅部１０１１の後段に移相部１０５を備えるものである。したがって、第２の実施形態の変形例と第１の実施形態の第２の変形例とを比較した場合、レベルを反転させる信号が異なるのみであるため、第２の実施形態の詳細な説明は省略する。尚、図２２Ａ及び図２２Ｂは、受信機２２が第１の送信信号または第２の送信信号を受信するときに、移相部１０５から出力される第１の信号のレベルと第２の増幅部１０１２から出力される第２の信号のレベルとをそれぞれ比較する図である。また、図２３Ａ及び図２３Ｂは、受信機２２が第１の送信信号または第２の送信信号を受信するときに、混合部１０６から出力される信号をそれぞれ示す図である。
【００９９】
以上より、第２の実施形態の変形例によれば、第２の増幅部１０１２の後段に移相部１０５を設ける代わりに、第１の増幅部１０１１の後段に移相部１０５を設けても、第１の実施形態の第２の変形例と同様に、第１の送信信号及び第２の送信信号のいずれか一方の周波数が、いずれか他方の送信信号の周波数に対するイメージ周波数と同一であるとき、互いに異なる周波数の第１の送信信号及び第２の送信信号の中から、いずれか一方の送信信号を選択して受信すると同時に、受信を目的としない不要な信号を高い抑圧比で抑圧することができる。
【０１００】
尚、第１の実施形態及び第２の実施形態では、所望の信号のレベルとイメージ信号のレベルとの比は、事前にある程度の予測をすることが可能であるため、第１の増幅率、第２の増幅率及び移相部の位相の調整量を一定にしても、十分に高いイメージ信号の抑圧比を得ることができる。しかし、所望の信号のレベル及びイメージ信号のレベルのそれぞれの変動が大きく、互いのレベルの比を事前に予測することが困難な場合がある。この場合、第１の実施形態及び第２の実施形態において、混合部１０６から出力される信号を図示しない制御部に入力し、入力された信号に残っているイメージ信号成分（すなわち、第２の送信信号成分）のレベルに応じて、制御部が第１の増幅率、第２の増幅率及び移相部１０５の位相の調整量の少なくともいずれか一つを変化させてもよい。
【０１０１】
尚、第１の実施形態の第２の変形例及び第２の実施形態の第２の変形例では、受信を目的とする送信信号の選択は、図示しないスイッチの状態を判断することで行っていた。しかしながら、例えば、本発明を自動車などの移動体に適用したときは、制御部１０１３または制御部１０１６が、自動車の状態に応じて受信を目的とする送信信号を判断してもよい。
【０１０２】
また、第１の実施形態の第２の変形例、第１の実施形態の第３の変形例及び第２の実施形態の変形例では、第１の増幅率、第２の増幅率は、それぞれ予め定められた２種類の値の組を受信する送信信号に応じて切り換えてもよいとしていた。しかしながら、第１の希望信号及び第２の希望信号のそれぞれのレベルの変動が激しく、予め定められた２種類の値の組を選択するだけでは、受信を目的としない不要な信号を十分に抑圧することができない場合がある。この場合、制御部１０１３及び制御部１０１６は、混合部１０６から出力される信号に受信を目的としない不要な信号成分が残らないように、混合部１０６から出力される信号に残っている、受信を目的としない不要な信号成分のレベルに応じて、第１の増幅率、第２の増幅率及び移相部１０５の位相の調整量の少なくともいずれか一つを制御してもよい。
【０１０３】
また、本発明に係る受信機１０、１１、１２、１３、２０、２１及び２２は、それぞれ無線通信機器を構成する電子回路であってもよい。
【０１０４】
また、本発明はスーパーヘテロダイン方式を採用した無線通信機に適用できる受信機について説明をした。しかしながら、本発明に係る受信機は、スーパーヘテロダイン方式を採用した無線通信機に限らず、ヘテロダイン方式を採用した無線通信機に適用できることは言うまでもない。つまり、図１において、混合部２から出力される信号の周波数、すなわち、中間周波数の範囲は、可聴帯域以上の周波数に限られず、可聴帯域未満の周波数であってもよいことは、言うまでもない。
【産業上の利用可能性】
【０１０５】
本発明によれば、受信を目的とする必要な信号の周波数と受信を目的としない不要な信号の周波数とが、互いに近い場合でも、受信を目的としない不要な信号を高い抑圧比で抑圧することができる受信機を提供でき、例えば、自動車等に搭載され、微弱な電波を受信する受信機などに利用することができる。
【図面の簡単な説明】
【０１０６】
【図１】本発明に係る受信機を適用した無線通信装置の構成を示すブロック図
【図２】第１の実施形態に係る受信機の構成を示すブロック図
【図３】第１の信号通過フィルタ及び第２の信号通過フィルタのそれぞれから出力される信号のレベルを比較する図
【図４】第１の増幅部及び第２の増幅部のそれぞれから出力される信号のレベルを比較する図
【図５】第１の増幅部及び移相部のそれぞれから出力される信号のレベルを比較する図
【図６】混合部から出力される信号のレベルを示す図
【図７】第１の実施形態の変形例に係る受信機の構成を示すブロック図
【図８】第１の実施形態の変形例において第１の増幅部及び第２の増幅部のそれぞれから出力される信号のレベルを比較する図
【図９】第１の増幅部及び減衰部のそれぞれから出力される信号のレベルを比較する図
【図１０】第１の実施形態の第２の変形例に係る受信機の構成を示すブロック図
【図１１Ａ】第１の実施形態の第２の変形例に係る受信機が第１の送信信号を受信するときの第１の増幅部及び第２の増幅部のそれぞれから出力される信号のレベルを比較する図
【図１１Ｂ】第１の実施形態の第２の変形例に係る受信機が第２の送信信号を受信するときの第１の増幅部及び第２の増幅部のそれぞれから出力される信号のレベルを比較する図
【図１２Ａ】第１の実施形態の第２の変形例に係る受信機が第１の送信信号を受信するときの第１の増幅部及び移相部のそれぞれから出力される信号のレベルを比較する図
【図１２Ｂ】第１の実施形態の第２の変形例に係る受信機が第２の送信信号を受信するときの第１の増幅部及び移相部のそれぞれから出力される信号のレベルを比較する図
【図１３Ａ】第１の実施形態の第２の変形例に係る受信機が第１の送信信号を受信するときの混合部から出力される信号のレベルを比較する図
【図１３Ｂ】第１の実施形態の第２の変形例に係る受信機が第２の送信信号を受信するときの混合部から出力される信号のレベルを比較する図
【図１４】第１の実施形態の第２の変形例に係る制御部の処理を示すフローチャート
【図１５】第１の実施形態の第３の変形例に係る受信機の構成を示すブロック図
【図１６】第１の実施形態の第３の変形例に係る制御部の処理を示すフローチャート
【図１７】第２の実施形態に係る受信機の構成を示すブロック図
【図１８】第２の実施形態に係る移相部及び第２の増幅部のそれぞれから出力される信号のレベルを比較する図
【図１９】第２の実施形態に係る混合部から出力される信号のレベルを示す図
【図２０】第２の実施形態の他の受信機の構成を示すブロック図
【図２１】第２の実施形態の変形例に係る受信機の構成を示すブロック図
【図２２Ａ】第２の実施形態の変形例に係る受信機が第１の送信信号を受信するときの移相部及び第２の増幅部のそれぞれから出力される信号のレベルを比較する図
【図２２Ｂ】第２の実施形態の変形例に係る受信機が第２の送信信号を受信するときの移相部及び第２の増幅部のそれぞれから出力される信号のレベルを比較する図
【図２３Ａ】第２の実施形態の変形例に係る受信機が第１の送信信号を受信するときの混合部から出力される信号のレベルを比較する図
【図２３Ｂ】第２の実施形態の変形例に係る受信機が第２の送信信号を受信するときの混合部から出力される信号のレベルを比較する図
【図２４】従来の無線通信機の構成を示すブロック図
【符号の説明】
【０１０７】
１    アンテナ
２    混合部
３    局部発振部
４    中間周波数フィルタ
５    中間周波数増幅部
６    復調回路
１０，１１，１２，１３，２０，２１，２２  受信機
１０１  第１の信号通過フィルタ
１０２  第２の信号通過フィルタ
１０３  第１の増幅部
１０４  第２の増幅部
１０５  移相部
１０６  混合部
１０７  減衰部
１０１１  第１の増幅部
１０１２  第２の増幅部
１０１３，１０１６  制御部
１０１４  第１の減衰部
１０１５  第２の減衰部
【図１】
2008288988.tif 000003
【図２】
2008288988.tif 000004
【図３】
2008288988.tif 000005
【図４】
2008288988.tif 000006
【図５】
2008288988.tif 000007
【図６】
2008288988.tif 000008
【図７】
2008288988.tif 000009
【図８】
2008288988.tif 000010
【図９】
2008288988.tif 000011
【図１０】
2008288988.tif 000012
【図１１】
2008288988.tif 000013
【図１２】
2008288988.tif 000014
【図１３】
2008288988.tif 000015
【図１４】
2008288988.tif 000016
【図１５】
2008288988.tif 000017
【図１６】
2008288988.tif 000018
【図１７】
2008288988.tif 000019
【図１８】
2008288988.tif 000020
【図１９】
2008288988.tif 000021
【図２０】
2008288988.tif 000022
【図２１】
2008288988.tif 000023
【図２２】
2008288988.tif 000024
【図２３】
2008288988.tif 000025
【図２４】
2008288988.tif 000026